(57)【特許請求の範囲】
【請求項１】
本体ケースと、前記本体ケース内に昇降可能に組み込まれる回転印体と、前記本体ケースの下端に着脱可能に装着されるマスター印体と、前記本体ケースの下部外周に回転可能に装着される調節リングと、前記調節リングに下方より螺合される昇降リングと、前記昇降リングの下部に回転可能に装着されて前記マスター印体の外周に位置する外周印体とを備えており、
前記回転印体は、コ字状の枠体の中間位置に軸にて回転可能に軸支された複数の回転子と前記枠体の下端に設けられた橋架片との間にゴム製の複数の印字ベルトを懸装してなるものであって、前記回転印体の前記軸の両端を前記本体ケースの内側面対向位置に設けられた縦溝に挿入して前記本体ケース内に昇降可能な状態で配設し、別途前記本体ケースの上端に嵌着した蓋板から前記枠体の上面に立設したボルトを突出させ、前記ボルトに調節部材を螺合し、前記調節部材を回転させることにより前記回転印体が前記本体ケース内を昇降して前記印字ベルトと前記マスター印字体の印字面を同一面状に調整し、
前記本体ケースの外周面と前記昇降リングの内周面には昇降リングを調節リングに螺合した状態において互いに周方向に係合する案内溝と案内突起を設けてあり、前記調節リングの回転により前記昇降リングが昇降して前記印字ベルトと前記マスター印字体の印字面と、前記外周印字体の印字面を同一面状に調整し、
これにより前記印字ベルトと前記マスター印字体と前記外周印字体の３種の印字面を同一面状に調整することを特徴とする回転印。
【発明の詳細な説明】
【０００１】
【発明の属する技術分野】
本発明は、印字面が複数の印字ベルトと、マスター印字体と、マスター印字体の外周に回転可能に設けられる外周印字体の３種からなる回転印に関するものである。
【０００２】
【従来の技術】
印字面が複数の印字ベルトとマスター印字体とからなり、日付と社名・部署名・氏名等を同時に捺印することができる回転印は古くから広く知られており、例えば実公平３−２５９７４号や特開平９−２７７６８０号に開示されている。そして、この種の回転印は通常、ケース体に内蔵された複数の印字ベルトを回転可能に懸装してなる回転印体を昇降させる高さ調節機構を備えている。
【０００３】
通常、印字ベルトとマスター印字体は別々に製造されるため、ほとんどの場合は印字ベルトとマスター印字体の印字部分の高さに若干の誤差が生じるものである。従って、別々に製造された印字ベルトとマスター印字体を備える回転印を組み付けた際、ほとんどの場合は印字ベルトとマスター印字体の印字面の高さに若干のズレが生じ、組み付けた状態のままで捺印したとしても印影にムラが生じて鮮明な印影を得ることができない。又、印字ベルトを回転させて印字面を変更した際に、変更前には同一面状であった印字ベルトとマスター印字体の印字面が同一面状でなくなったり、長期間使用しているうちに印字ベルトの印字面やマスター印字体の印字面が摩耗して印字ベルトとマスター印字体の印字面が同一面状でなくなることが原因で、鮮明な印影を得ることができないこともある。そこで、鮮明な印影を得ることができるように、回転印体を昇降させて印字ベルトの印字面の高さを調節して、印字ベルトとマスター印字体の印字面を同一面状に調整するのが、前記した高さ調節機構である。
【０００４】
【発明が解決しようとする課題】
一方、前記したような回転印のマスター印字体の外周に、実公昭５３−６５０９号、実公昭５３−５１２０７号、実開昭４８−１０８７０９号に開示されているような環状の外周印字体を回転可能に設けることにより、図６に示すような印字面が印字ベルトとマスター印字体と外周印字体とからなる回転印とすることもできる。そして、そのような３種の印字面を有する回転印においても、鮮明な印影を得るためには、印字面が印字ベルトとマスター印字体とからなる前記した回転印と同様に、３種の印字面を同一面状に調整することができなければならない。
【０００５】
ところが、印字ベルトとマスター印字体の印字面を同一面状に調整することは、前記したような従来から知られている高さ調節機構により行うことができるが、調整済みの印字ベルトとマスター印字体の印字面と、外周印字体の印字面を同一面状に調整することができる回転印は未だ実用化されておらず、３種の印字面を有する回転印において鮮明な印影を得ることは困難であった。そこで、本発明は印字ベルトとマスター印字体と外周印字体の３種の印字面を同一面状に調整することができ、その３種の印字面の鮮明な印影を得ることができる回転印を提供することを目的とする。
【０００６】
【課題を解決するための手段】
本体ケースと、前記本体ケース内に昇降可能に組み込まれる回転印体と、前記本体ケースの下端に着脱可能に装着されるマスター印体と、前記本体ケースの下部外周に回転可能に装着される調節リングと、前記調節リングに下方より螺合される昇降リングと、前記昇降リングの下部に回転可能に装着されて前記マスター印体の外周に位置する外周印体とを備えており、
前記回転印体は、コ字状の枠体の中間位置に軸にて回転可能に軸支された複数の回転子と前記枠体の下端に設けられた橋架片との間にゴム製の複数の印字ベルトを懸装してなるものであって、前記回転印体の前記軸の両端を前記本体ケースの内側面対向位置に設けられた縦溝に挿入して前記本体ケース内に昇降可能な状態で配設し、別途前記本体ケースの上端に嵌着した蓋板から前記枠体の上面に立設したボルトを突出させ、前記ボルトに調節部材を螺合し、前記調節部材を回転させることにより前記回転印体が前記本体ケース内を昇降して前記印字ベルトと前記マスター印字体の印字面を同一面状に調整し、
前記本体ケースの外周面と前記昇降リングの内周面には昇降リングを調節リングに螺合した状態において互いに周方向に係合する案内溝と案内突起を設けてあり、前記調節リングの回転により前記昇降リングが昇降して前記印字ベルトと前記マスター印字体の印字面と、前記外周印字体の印字面を同一面状に調整し、
これにより前記印字ベルトと前記マスター印字体と前記外周印字体の３種の印字面を同一面状に調整することを特徴とする回転印。
【０００７】
【発明の実施の形態】
以下、本発明の好ましい実施の形態について図面を用いて詳細に説明する。図１〜図３は本発明の第１の実施形態を示すものである。１はプラスチック製の円筒状の本体ケースであり、この本体ケース１の下部には環状の帯部１ａと、帯部１ａの下部に帯部１ａより外径の小さい小径筒部１ｂを形成してある。そして、前記帯部１ａの下部外周面には環状の係合溝２０を設けてあり、又、前記小径筒部１ｂの外周面対向位置にはこの外周面のほぼ中間位置から下端まで延びる２個の縦長の案内溝２１を設けてあり、小径筒部１ｂの下端にはマスター印体１５を着脱可能に嵌着してある。このマスター印体１５は、プラスチック製の円形のマスター印受け１６の下面に円形のマスター印字体１７を接着剤にて貼付してなるものであり、中心には後述する回転印体４の橋架片８に整列した印字ベルト９が露呈する窓孔１８を設けてある。
【０００８】
そして、前記本体ケース１の内部には回転印体４を昇降可能に組み込んである。この回転印体４は、コ字状の枠体５の中間位置に軸６にて回転可能に軸支された複数の回転子７と枠体５の下端に設けられた橋架片８との間にゴム製の複数の印字ベルト９を懸装してなるものであり、次のようにして本体ケース１内に組み込まれる。まず、前記軸６の両端を本体ケース１の内側面対向位置に設けられた縦溝１０に挿入して、回転印体４を本体ケース１内に昇降可能な状態で配設し、その状態で本体ケース１の上端に蓋板１１を嵌着する。そして、蓋板１１の中心からは前記枠体５の上面に立設されたボルト１２が上方に突出するので、そのボルト１２に調節部材１３を螺合する。これにより、回転印体４は本体ケース１内に吊り下げ状に組み込まれ、調節部材１３を回転させることにより回転印体４は本体ケース１内を昇降するものとなる。
【０００９】
又、前記本体ケース１には上方からプラスチック製の円筒状の外ケース２を覆い被せて、該外ケース２を昇降可能かつ抜け止め状に装着してある。このように本体ケース１に外ケース２を装着する構成は、本願出願人が先に出願した特開平９−２７７６８０号に開示された回転印の構成と同一のものであり、すなわち、常時は回転子７を外ケース２により覆い隠して回転操作を不可能な状態とし、図２に示すように外ケース２を本体ケース１に対して上方に引き上げることにより、本体ケース１の側面対向位置に設けられた操作窓３より回転子７が露呈して、回転子７の回転操作が可能となるものである。
【００１０】
尚、１４は蓋板１１と調節部材１３の間に配設されたスプリングであり、このスプリング１４は、図２に示すように外ケース２を上方に引き上げて印字ベルト９を回転させる際に、前記ボルト１２に螺合された調節部材１３を押し上げて回転印体４を強制的に上昇させて、印字ベルト９をマスター印体１５の窓孔１８の上方に確実に位置させるためのものであり、これにより、印字ベルト９はマスター印体１５の窓孔１８の開口縁に引っ掛かることはなく、スムーズに回転することができるものである。
【００１１】
１９は外ケース２の上部に着脱可能に嵌着されたプラスチック製のキャップであり、調節部材１３を覆い隠すためのものである。
【００１２】
２２はプラスチック製の環状の調節リングである。この調節リング２２は、外周壁２３と、上下端面が開口しており内側に本体ケース１の小径筒部１ｂが挿入される連結筒部２４との間に、下向きに開口した環状溝２５を形成してなるものである。そして、外周壁２３の上端内周面には環状の係合爪２６を設けてあり、連結筒部２４内に本体ケース１の小径筒部１ｂを挿入した状態で、係合爪２６と本体ケース１の帯部１ａにある係合溝２０とを係合させることにより、調節リング２２は本体ケース１の下部外周に抜け止め状に回転可能に装着される。又、前記環状溝２５の周面である連結筒部２４の外周面全体には雄ねじ部２７を形成してあり、外周壁２３の外周面全体には調節リング２２の回転操作をし易くするためのローレット模様を施してある。尚、前記係合爪２６は外周壁２３の内周面全周に渡って設けてある環状のものとしているが、係合爪２６は環状である必要は全くなく、同一円周上に複数の係合爪を一定間隔で設けても良い。
【００１３】
２８は上下端面が開口したプラスチック製の環状の昇降リングであり、この昇降リング２８は上部を前記環状溝２５内に収まる連結部２９とし、下部を連結部２９より肉厚の厚い基部３０としている。そして、連結部２９の内周面全体には雌ねじ部３１を形成してあり、この雌ねじ部３１と前記連結筒部２４の雄ねじ部２７により、昇降リング２８は調節リング２２に螺合されるものである。又、基部３０の内側には本体ケース１の小径筒部１ｂの下部が挿入されるものであり、その基部３０の内周面対向位置には小径筒部１ｂにある案内溝２１と係合する２個の縦長の案内突起３２を設けてある。更に、基部３０の外周面には環状の係合溝３３を設けてあり、基部３０の下面の対向位置には下向きに突出する爪３５を有する２個の弾性舌片３４を設けてある。
【００１４】
ここで、本体ケース１と調節リング２２と昇降リング２８の組み付け方法について説明する。まず、調節リング２２の環状溝２５に昇降リング２８の連結部２９を挿入するように昇降リング２８を調節リング２２に下方より接近させて、連結部２９の雌ねじ部３１の上端部と連結筒部２４の雄ねじ部２７の下端部を当接させる。次に、雌ねじ部３１の上端部と雄ねじ部２７の下端部が当接した状態で調節リング２２のみを一方向に回転させて、雄ねじ部２７と雌ねじ部３１を螺合させる。そして、連結筒部２４の下面が基部３０の上面に当接すると共に連結部２９の上面が調節リング２２の環状溝２５の上面内壁に当接して、調節リング２２の回転が止まるまで調節リング２２を回転させる。これにより、まず、調節リング２２と昇降リング２８の組み付けが完了する。
【００１５】
次に、その組み付け終えた調節リング２２と昇降リング２８を本体ケース１に組み付けるには、まず、本体ケース１の小径筒部１ｂを調節リング２２の連結筒部２４内に上方より挿入して、小径筒部１ｂにある案内溝２１と昇降リング２８の基部３０の内周面にある案内突起３２の位置合わせをする。そして、案内溝２１と案内突起３２の位置を合わせたら、その状態で小径筒部１ｂの下部を昇降リング２８の基部３０内に挿入するように本体ケース１を押し込んで、案内突起３２を案内溝２１内に挿入し、案内突起３２が案内溝２１内に収まった状態で調節リング２２の係合爪２６が本体ケース１の帯部１ａの下端に当接したら、その係合爪２６の内側に帯部１ａの下部を無理入れするように本体ケース１を更に押し込む。そして、係合爪２６と帯部１ａの係合溝２０が係合した時、小径筒部１ｂの下部は基部３０内に完全に収まり、案内突起３２は案内溝２１内に完全に収まった状態となる。これにより、本体ケース１と調節リング２２と昇降リング２８の組み付けが完了する。
【００１６】
そして、前記したように本体ケース１と調節リング２２と昇降リング２８の組み付けを完了した時、調節リング２２は本体ケース１の外周に回転可能に装着された状態となっているが、昇降リング２８は、案内突起３２が案内溝２１内に収まって案内突起３２と案内溝２１は周方向に係合するので、回転不可能となっている。従って、調節リング２２を回転させても昇降リング２８は回転しないため、調節リング２２を回転させた際には雄ねじ部２７と雌ねじ部３１にねじ作用が働き、そのねじ作用により案内突起３２は案内溝２１に案内されて案内溝２１内を昇降し、これにより昇降リング２８は昇降することとなる。
【００１７】
又、本体ケース１と調節リング２２と昇降リング２８の組み付け方法には、前記した方法とは別の方法もある。調節リング２２の係合爪２６と本体ケース１の帯部１ａの係合溝２０を係合させて、調節リング２２のみを本体ケース１の外周に先に装着しておき、その状態で小径筒部１ｂの案内溝２１と昇降リング２８の基部３０の案内突起３２の位置合わせをすると共に連結筒部２４の雄ねじ部２７の下端部と連結部２９の雌ねじ部３１の上端部とを当接させる。そして、案内溝２１と案内突起３２の位置が合った状態で、昇降リング２８が回転しないように調節リング２２のみを一方向に回転させると、雄ねじ部２７と雌ねじ部３１のねじ作用により昇降リング２８は上昇を開始し、連結部２９は環状溝２５内を上昇していくと共に案内突起３２は案内溝２１内を上昇する。そして、案内突起３２が案内溝２１内に収まることにより案内突起３２と案内溝２１は周方向に係合するので、昇降リング２８は回転不可能となって昇降のみ可能な状態となり、そのまま調節リング２２を更に回転させると、雄ねじ部２７と雌ねじ部３１のねじ作用により、案内突起３２は案内溝２１に案内されて案内溝２１内を上昇し、昇降リング２８は更に上昇する。そして、調節リング２２の回転が止まった時、小径筒部１ｂの下部は基部３０内に完全に収まり、案内突起３２は案内溝２１内に完全に収まった状態となる。これにより、本体ケース１と調節リング２２と昇降リング２８の組み付けが完了する。  以上が、本体ケース１と調節リング２２と昇降リング２８の組み付け方法である。
【００１８】
３６は昇降リング２８の下部に回転可能に装着された環状の外周印体である。この外周印体３６は、上下端面が開口したプラスチック製の環状の外周印受け３７の下面に環状の外周印字体３８を接着剤にて貼付してなるものであり、外周印受け３７の下端の開口部３９の直径は前記マスター印体１５が貫通できる大きさとなっている。そして、外周印受け３７の内壁面上端には環状の係合爪４０を設けてあり、この係合爪４０を前記昇降リング２８の係合溝３３に係合させることにより、外周印体３６は昇降リング２８の下部に抜け止め状に回転可能に装着される。ここで、前記係合爪４０は外周印受け３７の内壁面全周に渡って設けてある環状のものとしているが、係合爪４０は環状である必要は全くなく、同一円周上に複数の係合爪を一定間隔で設けても良い。
【００１９】
そして、外周印体３６を昇降リング２８に装着した際には開口部３９よりマスター印体１５が露呈して、外周印体３６はマスター印体１５の外周に位置するので、これにより、印字面が印字ベルト９とマスター印字体１７と外周印字体３８の３種からなる回転印となる。
【００２０】
又、外周印受け３７の内側には、上面に波状突起４２を有する環状の段部４１を設けてある。この段部４１の波状突起４２は、外周印体３６を昇降リング２８に装着した際に、昇降リング２８の基部３０の下面に設けた弾性舌片３４の爪３５と噛合するものとしている。よって、昇降リング２８に装着された外周印体３６は常時回転が規制されるものとなる。そして、外周印体３６を強制的に回転させると弾性舌片３４が撓んで爪３５は波状突起４２を乗り越えるので、これにより、外周印体３６を回転させる際には使用者に適度なクリック感が伝わり、外周印字体３８の位置決めが容易に行えるものとなる。尚、外周印受け３７の外周面全体には外周印体３６の回転操作をし易くするためのローレット模様を施してある。
【００２１】
次に、第１の実施形態における回転印の使用方法について説明する。まず、印字面を所望の印字内容に設定する場合は、図２に示すように外ケース２を上方に引き上げた状態で回転子７を回転させて印字ベルト９を所望の印字内容にすると共に、外周印体３６を回転させて外周印字体３８を所望の印字内容にすれば良い。尚、外ケース２を上方に位置させた時、スプリング１４は調節部材１３を押し上げて回転印体４を強制的に上昇させるので、印字ベルト９はマスター印体１５の窓孔１８より上方に位置し、その窓孔１８の開口縁に引っ掛かることなくスムーズに回転することができる。又、外周印受け３７の段部４１にある波状突起４２と昇降リング２８の弾性舌片３４にある爪３５は噛合しているので、外周印体３６は常時回転が規制されている。従って、外周印体３６は強制的に回転させない限り勝手に回転してしまうことはなく、一度設定した外周印字体３８の印字内容が勝手に変ってしまうことはない。又、外周印体３６を回転させる際には、爪３５が波状突起４２を乗り越えることにより発生する適度なクリック感が使用者に伝わり、外周印字体３８の位置決めを容易に行える。
【００２２】
次に、印字ベルト９とマスター印字体１７と外周印字体３８の３種の印字面を同一面状に調整する場合は、印字ベルト９とマスター印字体１７の印字面を同一面状に調整した後に、その調整済みの印字面と外周印字体３８の印字面を同一面状に調整すれば良く、まず、キャップ１９を外して調節部材１３を回転させると回転印体４が昇降して印字ベルト９の印字面の高さ調節をすることができるので、これにより印字ベルト９とマスター印字体１７の印字面を同一面状に調整することができる。
【００２３】
そして、今度は、調節リング２２を回転させると、雄ねじ部２７と雌ねじ部３１のねじ作用により、案内突起３２は案内溝２１に案内されて案内溝２１内を昇降し、これにより昇降リング２８が昇降するので、昇降リング２８に装着された外周印体３６も昇降リング２８と共に昇降して、外周印字体３８の印字面の高さ調節をすることができる。このように調節リング２２を回転させることにより、同一面状に調整した印字ベルト９とマスター印字体１７の印字面と、外周印字体３８の印字面を同一面状に調整することができるので、これにより印字ベルト９とマスター印字体１７と外周印字体３８の３種の印字面を同一面状に調整することができる。以上が印字ベルト９とマスター印字体１７と外周印字体３８の３種の印字面を同一面状に調整する方法であり、このように３種の印字面を同一面状に調整した後に捺印をすれば、３種の印字面の鮮明な印影を常に得ることができる。
【００２４】
尚、昇降リング２８を下降させる方向に調節リング２２を回転させた時、雄ねじ部２７と雌ねじ部３１の螺合が解かれるまで調節リング２２を回転させることにより昇降リング２８を調節リング２２より取外すことができるので、これにより外周印体３６の取外しが可能となる。従って、このように外周印体３６を取外した場合には、印字面が印字ベルト９とマスター印字体１７の２種からなる回転印としても使用することができる。そして、再度、３種の印字面を有する回転印として使用する場合には、前記した本体ケース１と調節リング２２と昇降リング２８の組み付け方法により両者を組み付ければ良い。
【００２５】
次に、図４にて本発明の第２の実施形態について説明する。尚、第２の実施形態における回転印は、前記した第１の実施形態と同様に本体ケース１に外ケース２を装着した形態の回転印であり、本体ケース１内に組み込まれた回転印体４や本体ケース１下端に装着されたマスター印体１５などの基本構成は同一であるため、ここでは、要部において異なる部分について説明する。
【００２６】
２２ａは上下端面が開口したプラスチック製の環状の調節リングである。この調節リング２２ａの外周壁２３ａの上端内周面には環状の係合爪２６ａを設けてあり、この係合爪２６ａと本体ケース１の帯部１ａにある係合溝２０とを係合させることにより、調節リング２２ａは本体ケース１の下部外周に抜け止め状に回転可能に装着される。そして、この調節リング２２ａを本体ケース１に装着した際には、外周壁２３ａの内周面と小径筒部１ｂの外周面との間に空間が形成されるものとなっており、その空間部分に対応する外周壁２３ａの内周面には雌ねじ部３１ａを形成してある。
【００２７】
２８ａは上下端面が開口したプラスチック製の環状の昇降リングであり、上部を前記外周壁２３ａの内周面と前記小径筒部１ｂの外周面との間に形成される空間に収まる連結部２９ａとし、下部を基部３０ａとしている。そして、連結部２９ａの外周面全体には雄ねじ部２７ａを形成してあり、この雄ねじ部２７ａと前記外周壁２３ａの雌ねじ部３１ａにより、昇降リング２８ａは調節リング２２ａに螺合されるものである。又、基部３０ａの内周面対向位置には、昇降リング２８ａを調節リング２２ａに螺合した際に小径筒部１ｂにある案内溝２１と周方向に係合する２個の縦長の案内突起３２を設けてある。
【００２８】
以上が、前記した第１の実施形態と異なる部分で、この他の部分については前記した第１の実施形態と同様であり、前記昇降リング２８ａには前記した第１の実施形態と同様の方法で外周印体３６を回転可能に装着してあり、その外周印体３６は前記した第１の実施形態と同様の方法で常時は回転が規制された状態となっている。
【００２９】
そして、この第２の実施形態における回転印では、調節リング２２ａを回転させると、雄ねじ部２７ａと雌ねじ部３１ａのねじ作用により、案内突起３２は案内溝２１に案内されて案内溝２１内を昇降して昇降リング２８ａが昇降するので、昇降リング２８ａに装着された外周印体３６も昇降して、これにより外周印字体３８の印字面の高さ調節をすることができ、印字ベルト９とマスター印字体１７と外周印字体３８の３種の印字面を同一面状に調整することができる。
【００３０】
以上、本発明の好ましい実施の形態として第１、第２の実施形態について説明してきたが、印字ベルト９、マスター印字体１７、外周印字体３８それぞれには、連続気孔を有する多孔性ゴム、ポリエチレン、非多孔性天然ゴムなど公知の材質のものを使用することができる。そして、前記した第１の実施形態では、雄ねじ部２７を調節リング２２の環状溝２５の周面である連結筒部２４の外周面全体に、雌ねじ部３１を昇降リング２８の連結部２９の内周面全体にそれぞれ形成しているが、雌ねじ部３１を調節リング２２の環状溝２５の周面である外周壁２３の内周面全体に、雄ねじ部２７を昇降リング２８の連結部２９の外周面全体にそれぞれ形成しても良い。
【００３１】
又、前記した第１、第２の実施形態では、案内溝２１を本体ケース１の小径筒部１ｂの外周面に、案内突起３２を昇降リング２８（２８ａ）の基部３０（３０ａ）の内周面にそれぞれ設けているが、案内突起３２を小径筒部１ｂの外周面に、案内溝２１を基部３０（３０ａ）の内周面にそれぞれ設けても良い。更に、その案内溝２１と案内突起３２の数は、前記した第１、第２の実施形態ではそれぞれ２個ずつとしていたが、この数は特に限定されるものではなく、例えば９０°間隔でそれぞれ４個ずつ設けたり、１２０°間隔でそれぞれ３個ずつ設けても良い。尚、案内溝２１と案内突起３２の数はそれぞれ１個ずつであっても良いが、昇降リング２８（２８ａ）のガタツキを防止したり昇降リング２８（２８ａ）の動作をスムーズなものとするためには、案内溝２１と案内突起３２はそれぞれ少なくとも２個以上設けるのが望ましい。
【００３２】
更に、前記した第１、第２の実施形態では、本体ケース１に外ケース２を昇降可能かつ抜け止め状に装着して、常時は回転子７を覆い隠す構成の回転印としていたが、本体ケース１に外ケース２を昇降可能かつ抜け止め状に装着した構成とする必要は全くなく、例えば、図５に示すように半割状の２つの半円ケースを抱き合わせ状に結合してなる円筒状の本体ケース１０１の対向側面に回転子１０７の数に対応した縦孔１０３を設け、その縦孔１０３より回転子１０７を露呈させて回転子１０７を常時回転操作可能とした外ケースを用いない構成であっても、前記した実施形態と同様の構成で、印字ベルトとマスター印字体と外周印字体の３種の印字面を同一面状に調整することができる回転印を実施することができる。
【００３３】
【発明の効果】
以上の通り、本発明の回転印では、本体ケースの下部外周に回転可能に装着した調節リングを回転させることにより、調節リングに螺合された昇降リングが昇降するようにして、昇降リングの下部に回転可能に装着された外周印体も昇降するようにしたので、これにより外周印字体の印字面の高さ調節が可能となり、印字ベルトとマスター印字体と外周印字体の３つの印字面を同一面状に調整することが可能となる。従って、印字面が印字ベルトとマスター印字体と外周印字体の３種からなる回転印において、従来では３種の印字面の鮮明な印影を得ることは困難であったが、本発明の回転印により、３種の印字面の鮮明な印影を得ることができるようになる。
【００３４】
又、印字面が印字ベルトとマスター印字体の２種からなる既存の回転印を利用して本発明の回転印を実施することも可能であり、例えば、既存の回転印に新規の部品として少なくとも調節リングと昇降リングと外周印体の３つの部品を増やすだけで、印字面が印字ベルトとマスター印字体の２種からなる既存の回転印を、印字面が印字ベルトとマスター印字体と外周印字体の３種からなり、更に外周印字体の印字面の高さ調節までも可能にした回転印とすることも可能である。従って、本発明によれば、既存の２種の印字面を有する回転印を、大幅な設計変更を加えることもなく低コストで操作性の優れた３種の印字面を有する回転印とすることも可能である。
【図面の簡単な説明】
【図１】  本発明の第１の実施形態の正面断面図である。
【図２】  本発明の第１の実施形態の外ケース２を上方に位置させた状態を示す正面半断面図である。
【図３】  本発明の第１の実施形態の分解斜視図である。
【図４】  本発明の第２の実施形態の要部断面図である。
【図５】  本発明の他の実施形態であって、外ケース２を用いない回転印の例を示す斜視図である。
【図６】  印字ベルトとマスター印字体と外周印字体とからなる印字面を示す図である。
【符号の説明】
１  本体ケース
２  外ケース
３  操作窓
４  回転印体
５  枠体
６  軸
７  回転子
８  橋架片
９  印字ベルト
１０  縦溝
１１  蓋板
１２  ボルト
１３  調節部材
１４  スプリング
１５  マスター印体
１６  マスター印受け
１７  マスター印字体
１８  窓孔
１９  キャップ
２０  係合溝
２１  案内溝
２２  調節リング
２３  外周壁
２４  連結筒部
２５  環状溝
２６  係合爪
２７  雄ねじ部
２８  昇降リング
２９  連結部
３０  基部
３１  雌ねじ部
３２  案内突起
３３  係合溝
３４  弾性舌片
３５  爪
３６  外周印体
３７  外周印受け
３８  外周印字体
３９  開口部
４０  係合爪
４１  段部
４２  波状突起
【図１】
0004392810.tif 000002
【図２】
0004392810.tif 000003
【図３】
0004392810.tif 000004
【図４】
0004392810.tif 000005
【図５】
0004392810.tif 000006
【図６】
0004392810.tif 000007